(57)【要約】入力データを、第１の出力フォーマット及び第２の出力フォーマットの出力データ（１０）に同時に描く方法であって、ａ）出力データ（１０）を構成している複数のバンド（１１−１４）を定め、そしてｂ）複数のバンド（１１−１４）からの各特定のバンド（１１−１４）について、ｉ）レンドラーにより、入力データから、第１の出力フォーマットの特定のバンド（１１−１４）についての第１の出力データを作り、ｉｉ）第１の出力データから、第２の出力フォーマットの特定のバンド（１１−１４）についての第２の出力データを作ることを含んだ方法。
2005519399.tif 000002
【特許請求の範囲】
【請求項１】
入力データを、第１の出力フォーマット及び第２の出力フォーマットの出力データ（１０）に同時に描く方法であって、
−前記出力データ（１０）を構成している複数のバンド（１１−１４）を定める
段階を含み、更に
−前記複数のバンド（１１−１４）からの各特定のバンド（１１−１４）について
ｉ）レンドラーにより、前記入力データから、前記第１の出力フォーマットの前記特定のバンド（１１−１４）についての第１の出力データを作り、
ｉｉ）前記第１の出力データから、前記第２の出力フォーマットの前記特定のバンド（１１−１４）についての第２の出力データを作る
諸段階を更に含むことを特徴とする方法。
【請求項２】
−前記第１の出力フォーマットの前記出力データを主出力装置に送り、
−前記第２の出力フォーマットの前記出力データを校正装置に送る
諸段階を更に含む請求項１による方法。
【請求項３】
前記主出力装置が、イメージセッター及びプレートセッターのグループから選択される請求項２による方法。
【請求項４】
前記特定のバンド（１１−１４）用の第１の出力データが、複数のカラーのためのデータを含む先行請求項のいずれか一つによる方法。
【請求項５】
−前記特定のバンド（１１−１４）用の前記第１の出力データをデスクリーニングする
段階を含む先行請求項のいずれか一つによる方法。
【請求項６】
−前記特定のバンド（１１−１４）用の前記第１の出力データの第１の部分を一時的に記憶し、前記第１の部分は前記複数のバンドからの別の特定バンド（１１−１４）用のデータに隣接し、
−前記特定のバンド用の前記第２の出力データを前記別の特定バンド用の前記第２の出力データに連結するために、前記特定のバンド（１１−１４）用の前記第１の出力データの第１の部分を使用する
諸段階を更に含む先行請求項のいずれか一つによる方法。
【請求項７】
−前記複数のバンド（１１−１４）からの各特定のバンド（１１−１４）用の前記第１の出力データを追加し、これにより前記第１の出力フォーマットの前記出力データを得る段階を更に含む先行請求項のいずれか一つによる方法。
【請求項８】
請求項１から７のいずれか一つによる方法の諸段階を実行するための手段を備えるデータ処理システム。
【請求項９】
前記主出力装置を更に備える請求項２に従属したときの請求項８によるシステム。
【請求項１０】
前記校正装置を更に備える請求項２に従属したときの請求項８により、或いは請求項９によるシステム。
【請求項１１】
プログラムがコンピューター上で走っているとき、請求項１から７のいずれか一つによる方法の諸段階を実行するようにされたコンピュータープログラムコード手段を含むコンピュータープログラム。
【請求項１２】
コンピューター上で走っているとき、請求項１から７のいずれか一つによる方法を実行するようにされたプログラムコードを備えたコンピューター可読媒体。
【発明の詳細な説明】
【技術分野】
【０００１】
本発明は、画像の印刷に関し、特にこれらを印刷するために画像データを描くことに関する。
【背景技術】
【０００２】
書籍、新聞、包装材料及び同等品のような印刷物を作るために、含まれる画像データは、通常、プリプレスワークフローシステムにより処理される。かかるプリプレスワークフローシステムは、特許文献１において明らかにされる。プリプレス処理段階の一つは、レンダリング処理、即ち、Ｐｏｓｔｓｃｒｉｐｔ又はＰＤＦのようなページ記述言語から、ビットマップデータとも呼ばれるラスターデータへの画像データの転換である。レンダリング処理は、ラスターイメージプロセッサー又はＲＩＰとしても知られるレンダラーにより実行される。レンダラーの入力データは画像データであり、出力データはビットマップデータである。レンダラーの出力データは、イメージセッター又はプレートセッターのような装置に送られる。これらは、この文書においては主出力装置と呼ばれる。主出力装置用のレンダラーの出力データは、この文書では主出力データと呼ばれる、イメージセッターにおいては、放射に感度のあるフィルムがビットマップデータの手段により露光され、これが、印刷版を得るために使用される。プレートセッターにおいては、ビットマップデータの手段により版前駆体に露光することにより、印刷版が直接得られる。次いで、印刷版は、印刷物を作るために、例えばオフセット印刷機において使用される。最終の出力前に、データは（校正機とも呼ばれる）校正装置の手段によりチェックされることが非常に多い。校正装置は、主出力装置とは別のフォーマットの、例えば低解像度のデータを要求する。
【０００３】
特許文献２は、カラーモニター上で、印刷シートの表側と裏側とを互いに重ねてディスプレイすることにより印刷シートの両側間の見当合わせを校正し測定することのできるソフトウエアベースの校正方法を明らかにする。ディスプレイされるデータは、低解像度のラスターイメージプロセッサーから得られる。この低解像度の装置は、主出力装置のための出力作成用に使用される高解像度のラスターイメージプロセッサーと同様である。
【０００４】
別の従来技術の設備においては、レンダラーの主出力データは、まずディスクに記憶される。通常のカラー出力の場合は、色分解ファイルが面ベースで一つの面上に記憶される。典型的に、まずレンダラーによりシアンの色分解が作られてディスクに記憶され、更にマゼンタ、イエロー、ブラック及び選択的にスポットカラーが続く。校正を要求されたとき、ディスクから主出力データが読み出され（前述のように、典型的に４色平面用及びスポットカラー用の追加面用のデータ）、色分解が再結合され、校正装置用のデータが、主出力装置用に意図された高解像度の網掛けされたデータから作られる。
【０００５】
校正、レンダリング、組付け、及びその他の関連用語についての更なる情報は、上述された特許文献２を参照する。
【特許文献１】ＷＯ  ０１／２５９０７号  明細書
【特許文献２】ＵＳ−Ａ−５  ６２５  ７６６号  明細書
【特許文献３】ＥＰ−Ａ−１  １３９  ６５４号  明細書
【発明の開示】
【発明が解決しようとする課題】
【０００６】
入力データから２種の異なったフォーマットで出力データをレンダリングするための改良された方法に対する要求がなおある。
【課題を解決するための手段】
【０００７】
本発明は、独立請求項１に請求された２種の異なる出力フォーマットの出力データを作る方法である。本発明は、この方法を実行するシステム及びコンピュータープログラムも含む。本発明の好ましい実施例が従属請求項において説明される。
【０００８】
本発明による方法においては、実質的に同時に２種の出力フォーマットが作られる。主出力データは、イメージセッター及びプレートセッターのような高解像度、モノクロ、２進式のマーキングエンジン用に典型的に意図されたフォーマットを持つ。これは、典型的に２４００ｄｐｉ（１インチ（２５．４ｍｍ）当たりドット数）の色分解され網掛けされた出力である。作られた副出力データは、典型的に校正機用に使われる。これは７２０ｄｐｉ、コントーン（ｃｏｎｔｏｎｅ）、色管理された合成出力である。両フォーマットは、同時に作られる。
【０００９】
本発明の利点は、システムの性能が非常に改善されることである。これは、画像化装置のフォーマットが年々大きくなっていくので特に重要である。本発明は、標準のハードウエアにおける許容できる生産量の維持、及びより高速のハードウエアにおけるより多い生産量を許す。
【００１０】
更に、レンダラーは、ただ１台しか必要でない。一方、前述の特許文献２に明らかにされた方法は、２台の異なるレンダラー、即ち低解像度のものと高解像度のものとが必要である。
【００１１】
校正装置用のデータは、網掛けされたデータの処理により、主出力装置用に意図された高解像度の網掛けデータから作られる。これは、網掛けされたデータのデスクリーニング（ｄｅｓｃｒｅｅｎｉｎｇ）、ズーミング、カラーマネージメントを含む。これは、校正機データが主出力データと完全に一致する利点を提供する。
【００１２】
本発明の実施例の更なる利点は、以下の説明及び図面から明らかとなるであろう。
【発明を実施するための最良の形態】
【００１３】
本発明は図面を参照し説明される。
【００１４】
本発明の好ましい実施例においては、レンダラーの出力データは複数のバンドに分割される。これが図１の手段により示される。図１は、オフセット印刷機により１枚のシート上に印刷された８ページ分の出力ページデータ２１−２８を示す。例えばリーフレットを印刷する場合は、通常はリーフレットの数ページが、１枚の大きいシート上に印刷され、これは、印刷後、組付けと呼ばれる工程により、最終製品のページの順序が正確であるように折られ、恐らくは裁断されるような方法で整えられる。１枚の大きいシートは、組付け用語ではフラットと呼ばれる。フラットに相当する出力データ１０は、特に網掛け段階後は、非常に大きいサイズを有する可能性がある。図１の手段により示された実施例においては、各バンド１１−１４が隣接した２ページ分の出力ページデータ２１−２８を含む方法、例えばバンド１１がページデータ２１及び２２を含む方法で、複数個のバンド１１−１４が出力データ１０を構成する。一般に、バンドはページの境界を横切ることができる。通常、バンドはページよりかなり小さいであろう。バンドのサイズは、レンダラー内の利用可能なメモリ量により決定される。一般に、バンド１１−１４は、出力データ１０の下位セットをカバーし、従って全ての出力データ１０はバンド１１−１４の正確に一つに属し、かつ全てのバンド１１−１４のデータは、一緒になって出力データを構成する。出力データは、パッケージング用のようにページが使用されない場合も、複数のバンドに分割することができる。パッケージング用では、出力データは、いわゆるステップアンドレピート作業により繰り返される基本データを含む。
【００１５】
本発明は、バンドの作成を許すレンダラーにおいて特別モードの手段により実行されることが好ましい。例えばアドベのＣＰＳＩレンダラーは、普通のように色ごとに全部の色分解を作る代わりに、第１のバンドに対して全ての異なった色のための出力データを作り、次いで第２のバンドに対して全ての異なった色のための出力データを作り、以下同様の方法で設定することができる。バンドサイズも設定することができる。色出力については、本発明の特別な実施例は以下のとおりである。まず、シアンの第１のバンドが作られ、続いてマゼンタの第１のバンド、イエローの第１のバンド、ブラックの第１のバンド、及び選択的に分離された各スポットカラーについての第１のバンドが作られる。第１のバンドの全ての色分解がメモリ内に作られた後、第１のバンドにおける校正処理（再組み合わせ、デスクリーニングなど）作業を開始し、処理された校正データをディスクに記憶することができ、或いは、これを直ちに校正機に送ることができる。次いで、第２のバンドを作るための処理が繰り返され、全てのデータが作られるまでこれが続けられる。
【００１６】
好ましくは、連続したバンドに対するレンダラーにより作られた出力データは、各色について互いに結び付けられ、この結び付けられたデータが主出力装置に送られ、従って、主出力装置は各色についてのこの結び付けられたデータの組を受け取る。
【００１７】
例えば、校正装置用に意図された第２の出力フォーマットのデータは、主出力装置用の第１の出力フォーマットでデータからバンド毎に作られることが好ましい。これは種々の方法で行うことができる。第１の実施例においては、第２の出力フォーマットでのデータの作成は、例えば、特許文献３に説明されるように、第１の出力フォーマットのデータの再採取を含む。第２の実施例においては、第２の出力フォーマットのデータの作成は、第１の出力フォーマットのデータのデスクリーニングを含む。即ち、第１の出力フォーマットの網掛けされた２進データがコントーン値に変換される。これは、第１の出力フォーマットのデータが２４００ｄｐｉであり、第２のフォーマットにおいては６００ｄｐｉである極めて簡単な以下の例により示すことができる。２４００ｄｐｉの２進データは、１６ビットの正方形、即ち４×４ビットに分割される。４×４ビットの正方形の４ビットが設定され、即ち値１を有し、１２ビットがゼロであるとする。このとき、この正方形に対するコントーン値は、２５６＊４／１６＝６４＝１６進法で（４０）ＨＥＸである。これが、次の４×４ビット正方形について繰り返される。
【００１８】
第２の出力フォーマットのデータに対する二つのバンド間の正確な移行を確保するために、第１のバンドとこれに隣接した第２のバンドとの間の境界領域において、恐らくは、追加の作用が行われる。境界領域における第２の出力フォーマットのデータを計算するために、境界領域に対する第１の出力フォーマットのデータが、好ましくはメモリ内に記憶される。上に説明された非常に簡単な例において、第１及び第２のバンド間の境界が４×４正方形の辺と一致しない場合は（これら正方形を、例えば半分ずつに分割するのではなく）、第１のバンドの処理の際に、境界におけるこれら正方形の第１の出力フォーマットのデータを一時的に記憶し、そして続いて第２のバンドについての第２の出力フォーマットのデータ計算の際に使用する。
【００１９】
第２の出力フォーマットのデータは、これを、例えばバンド毎に校正機に直接送り、或いは例えばディスクに記憶させることができる。
【００２０】
本発明は、以上説明された実施例には限定されない。カラー出力の場合、その他のカラーを使うことができる。カラーの順序は任意である。本発明は、モノクロ出力にも応用することができる。本発明は、主出力装置及び校正機以外のその他の装置にも適用することができる。
【００２１】
本発明の好ましい実施例を詳細に説明したが、本技術熟練者には、特許請求の範囲に定められた本発明の範囲から離れることなく多くの変更をなし得ることが明らかであろう。
【図面の簡単な説明】
【００２２】
【図１】本発明による実施例を示す。
【符号の説明】
【００２３】
１０：  出力データ
１１：  バンド
１２：  バンド
１３：  バンド
１４：  バンド
２１：  ページデータ
２２：  ページデータ
２３；  ページデータ
２４：  ページデータ
２５：  ページデータ
２６：  ページデータ
２７：  ページデータ
２８：  ページデータ
【図１】
2005519399.tif 000003
【国際調査報告】
2005519399.tif 000004
2005519399.tif 000005